(57)【特許請求の範囲】
【請求項１】
内部中間壁を挟んでその両側に第一接続空間及び第二接続空間を形成し、且つ前記内部中間壁に、前記第一接続空間及び前記第二接続空間にそれぞれ突出する雄タブを配置したコネクタサブアッシーを複数個積層してなるコネクタブロックと、
ハウジング及び該ハウジングに取り付けられる複数の圧接端子を有する複数の圧接コネクタと、
該圧接コネクタの複数に跨って配索される電線群と、
を備え、
該電線群を配索した状態で前記圧接コネクタの個々を、前記コネクタブロックの対応する前記第一接続空間に挿入して前記雄タブに接続することにより、前記第二接続空間を介して接続される相手側コネクタを有するワイヤハーネスのジョイントを吸収する
ことを特徴とするジョイント吸収コネクタ。
【請求項２】
請求項１に記載のジョイント吸収コネクタにおいて、
前記圧接端子を固定することが可能な長尺の絶縁体を切断して前記ハウジングを形成する
ことを特徴とするジョイント吸収コネクタ。
【請求項３】
請求項１又は請求項２に記載のジョイント吸収コネクタにおいて、
前記圧接端子と共に、又は前記圧接端子に替えて、隣接する端子同士を電気的に接続する連結部を形成した連鎖圧接端子を前記ハウジングに取り付ける
ことを特徴とするジョイント吸収コネクタ。
【請求項４】
請求項１ないし請求項３いずれか記載のジョイント吸収コネクタにおいて、
前記コネクタサブアッシーに、積層固定用の係合部と積層相手の係合部が係合する被係合部とを形成する
ことを特徴とするジョイント吸収コネクタ。
【請求項５】
内部中間壁を挟んでその両側に第一接続空間及び第二接続空間を形成し、且つ前記内部中間壁に、前記第一接続空間及び前記第二接続空間にそれぞれ突出する雄タブを配置したコネクタサブアッシーを形成するコネクタサブアッシー形成工程と、
前記コネクタサブアッシーを複数個積層してコネクタブロックを形成するコネクタブロック形成工程と、
ハウジング及び該ハウジングに取り付けられる複数の圧接端子を有する複数の圧接コネクタを形成し且つ該圧接コネクタの複数に跨って電線群を配索する圧接コネクタ形成工程と、
前記第二接続空間を介して接続される相手側コネクタを有するワイヤハーネスのジョイントを吸収するために、前記電線群を配索した状態の前記圧接コネクタの個々を、前記コネクタブロックの対応する前記第一接続空間に挿入して前記雄タブに接続するアッシー状態形成工程と、
を含む
ことを特徴とするジョイント吸収コネクタの製造方法。
【請求項６】
請求項５に記載のジョイント吸収コネクタの製造方法において、
前記ハウジングを、前記圧接端子を固定することが可能な長尺の絶縁体を切断して形成する
ことを特徴とするジョイント吸収コネクタの製造方法。
【請求項７】
請求項５又は請求項６に記載のジョイント吸収コネクタの製造方法において、
前記圧接端子と共に、又は前記圧接端子に替えて、隣接する端子同士を電気的に接続する連結部を形成した連鎖圧接端子を前記ハウジングに取り付ける
ことを特徴とするジョイント吸収コネクタの製造方法。
【発明の詳細な説明】
【０００１  】
【発明の属する技術分野】
本発明は、ワイヤハーネスのジョイント吸収をするためのジョイント吸収コネクタ及びジョイント吸収コネクタの製造方法に関する。
【０００２  】
【従来の技術】
ワイヤハーネスのジョイント吸収をするために、図１２や、図１３及び図１４に示されるような構造が知られている。
【０００３  】
図１２において、引用符号１０１は電気接続箱を示しており、合成樹脂製の上部ケース１０２と下部ケース１０３とを有して構成されている。上部ケース１０２には、ワイヤハーネス１０４の端末コネクタ１０５を接続するための複数のハウジング１０６が形成されている。また、下部ケース１０３には、複数のスリット１０７が形成されている。
【０００４  】
スリット１０７には、ジョイント吸収をするための導電性を有する縦バスバー１０８が差し込まれており、縦バスバー１０８に連成された複数のタブ１０９が上部ケース１０２の複数の貫通孔１１０を介してハウジング１０６内に突出するようになっている。上部ケース１０２と下部ケース１０３は、上部ケース１０２に形成された係止部１１１と、下部ケース１０３に形成されたロック爪１１２との係合により一体化するようになっており、複数の縦バスバー１０８は、これら上部ケース１０２と下部ケース１０３とによって挟持されている。
【０００５  】
図１３及び図１４において、引用符号１２１はコネクタハウジングを示しており、その上面と下面とが共に連結面１２１ａ、１２１ｂとして構成されている。上方の連結面１２１ａの両側部の前方側と、前面部の略全体とには、ハウジングロック突起１２２が形成されている。また、これに対応する下方の連結面１２１ｂには、ハウジングロック溝部１２３が形成されている。
【０００６  】
コネクタハウジング１２１には、各キャビティ壁１２４によってそれぞれ仕切られた複数の端子収容室１２５が形成されている。その各端子収容室１２５には、端子係止部１２１ｃが形成されており、複数の圧接端子１２６が端子係止部１２１ｃに係止された状態で端子収容室１２５にそれぞれ収容されている。
【０００７  】
圧接端子１２６は、電線Ｗが圧接される電線圧接部１２６ａと、コネクタハウジング１２１に係止されるハウジング係止部（不図示）と、上方の連結面１２１ａ側に突出するタブ部１２６ｃと、下方の連結面１２１ｂから挿入されるタブ部１２６ｃが接触するタブ接触１２６ｄとを有して構成されている。
【０００８  】
引用符号１２８は隣接する左右の圧接端子１２６同士を連結する連結部を示している。また、１２９は各キャビティ壁１２４に形成された切り欠き部を示している。連結部１２８は、切り欠き部１２９を跨いで隣接する圧接端子１２６同士を連結するようになっている。
【０００９  】
上記構成に基づいて、コネクタハウジング１２１への端子装着作業、及びコネクタハウジング１２１間の連結作業について説明する。
【００１０  】
コネクタハウジング１２１の複数の端子収容室１２５の後面から圧接端子１２６を挿入する。各圧接端子１２６が装着位置まで装着されると、各圧接端子１２６のハウジング係止部（不図示）がコネクタハウジング１２１の端子係止部１２１ｃに係止される。次に、各電線Ｗを各圧接端子１２６の電線圧接部１２６ａに圧接する等の処理を施し、各電線Ｗと各圧接端子１２６とを接続する。
【００１１  】
続いて、双方のコネクタハウジング１２１の連結面１２１ａ、１２１ｂ同士を互いに近接させる方向に移動させ、ハウジングロック突起１２２とハウジングロック溝部１２３との位置合わせを行う。そして、双方の位置合わせがなされると、さらに双方のコネクタハウジング１２１の連結面１２１ａ、１２１ｂ同士を互いに近接させる方向に移動させ、連結面１２１ａ、１２１ｂ同士を接合させる。連結面１２１ａ、１２１ｂ同士が接合すると、ハウジングロックがなされて連結が完了する。
【００１２  】
この時、双方のコネクタハウジング１２１の連結位置への移動に伴って、下方のコネクタハウジング１２１の各圧接端子１２６のタブ部１２６ｃが上方のコネクタハウジング１２１内に進入し、上方のコネクタハウジング１２１の各圧接端子１２６のタブ接触部１２６ｄに接触する。尚、上下の圧接端子１２６同士を電気的に接続させない場合には、予めタブ部１２６ｃを折り曲げる折曲加工を施しておくものとする。
【００１３  】
以上のように、コネクタハウジング１２１を多段状に連結して圧接ジョイントコネクタ１３０が構成される。その圧接ジョイントコネクタ１３０は、必要に応じて隣接する上下の圧接端子１２６間と、隣接する左右の圧接端子１２６間とを電気的に接続するように構成されている。
【００１４  】
【発明が解決しようとする課題】
ところで、上記従来技術の電気接続箱１０１にあっては、入出力のコネクタ配列が固定されており、ワイヤハーネスのジョイント吸収をするためには、ワイヤハーネス側で配列要件を上記コネクタ配列に合わせる必要があった。従って、ワイヤハーネスの生産性が向上しないという問題点があった。
【００１５  】
また、上記従来技術の圧接ジョイントコネクタ１３０にあっては、ワイヤハーネスのサブ生産に対応した構造であるものの、ワイヤハーネス側の配列要件に合わせる（パラレル等）機能は備えていないという問題点があった。
【００１６  】
本発明は、上述した事情に鑑みてなされるもので、ワイヤハーネス側の配列要件に合わせることが可能な機能を有する安価なジョイント吸収コネクタ及びその製造方法を提供することを課題とする。
【００１７  】
【課題を解決するための手段】
上記課題を解決するためなされた請求項１記載の本発明のジョイント吸収コネクタは、内部中間壁を挟んでその両側に第一接続空間及び第二接続空間を形成し、且つ前記内部中間壁に、前記第一接続空間及び前記第二接続空間にそれぞれ突出する雄タブを配置したコネクタサブアッシーを複数個積層してなるコネクタブロックと、ハウジング及び該ハウジングに取り付けられる複数の圧接端子を有する複数の圧接コネクタと、該圧接コネクタの複数に跨って配索される電線群と、を備え、該電線群を配索した状態で前記圧接コネクタの個々を、前記コネクタブロックの対応する前記第一接続空間に挿入して前記雄タブに接続することにより、前記第二接続空間を介して接続される相手側コネクタを有するワイヤハーネスのジョイントを吸収することを特徴としている。
【００１８  】
請求項２記載の本発明のジョイント吸収コネクタは、請求項１に記載のジョイント吸収コネクタにおいて、前記圧接端子を固定することが可能な長尺の絶縁体を切断して前記ハウジングを形成することを特徴としている。
【００１９  】
請求項３記載の本発明のジョイント吸収コネクタは、請求項１又は請求項２に記載のジョイント吸収コネクタにおいて、前記圧接端子と共に、又は前記圧接端子に替えて、隣接する端子同士を電気的に接続する連結部を形成した連鎖圧接端子を前記ハウジングに取り付けることを特徴としている。
【００２０  】
請求項４記載の本発明のジョイント吸収コネクタは、請求項１ないし請求項３いずれか記載のジョイント吸収コネクタにおいて、前記コネクタサブアッシーに、積層固定用の係合部と積層相手の係合部が係合する被係合部とを形成することを特徴としている。
【００２１  】
上記課題を解決するためなされた請求項５記載の本発明のジョイント吸収コネクタの製造方法は、内部中間壁を挟んでその両側に第一接続空間及び第二接続空間を形成し、且つ前記内部中間壁に、前記第一接続空間及び前記第二接続空間にそれぞれ突出する雄タブを配置したコネクタサブアッシーを形成するコネクタサブアッシー形成工程と、前記コネクタサブアッシーを複数個積層してコネクタブロックを形成するコネクタブロック形成工程と、ハウジング及び該ハウジングに取り付けられる複数の圧接端子を有する複数の圧接コネクタを形成し且つ該圧接コネクタの複数に跨って電線群を配索する圧接コネクタ形成工程と、前記第二接続空間を介して接続される相手側コネクタを有するワイヤハーネスのジョイントを吸収するために、前記電線群を配索した状態の前記圧接コネクタの個々を、前記コネクタブロックの対応する前記第一接続空間に挿入して前記雄タブに接続するアッシー状態形成工程と、を含むことを特徴としている。
【００２２  】
請求項６記載の本発明のジョイント吸収コネクタの製造方法は、請求項５に記載のジョイント吸収コネクタの製造方法において、前記ハウジングを、前記圧接端子を固定することが可能な長尺の絶縁体を切断して形成することを特徴としている。
【００２３  】
請求項７記載の本発明のジョイント吸収コネクタの製造方法は、請求項５又は請求項６に記載のジョイント吸収コネクタの製造方法において、前記圧接端子と共に、又は前記圧接端子に替えて、隣接する端子同士を電気的に接続する連結部を形成した連鎖圧接端子を前記ハウジングに取り付けることを特徴としている。
【００２４  】
請求項１に記載された本発明によれば、コネクタサブアッシーを複数個積層してコネクタブロックが形成される。また、形成されたコネクタブロックの対応する第一接続空間に電線群を配索した状態の圧接コネクタの個々が挿入される。第一接続空間に挿入された圧接コネクタは、コネクタサブアッシーの雄タブに接続される。そして、対応する第二接続空間を介してコネクタブロックに接続される相手側コネクタは、コネクタサブアッシーの雄タブに接続され且つその雄タブを介して圧接コネクタに接続される。ワイヤハーネス側の配列要件に合わせて圧接端子を配置し電線群を配索すると、相手側コネクタを接続するだけでワイヤハーネス側の配列を変えることなくジョイント吸収がなされる。尚、仮にワイヤハーネス側の配列に変更があっても、圧接コネクタ若しくは圧接端子と電線群とを変更するだけで容易に対応することが可能になる。
【００２５  】
請求項２に記載された本発明によれば、長尺の絶縁体に圧接端子を固定し、さらに絶縁体を切断すると、圧接コネクタが形成される。長尺の絶縁体を用いることによりジョイント吸収コネクタの製造が容易になる。
【００２６  】
請求項３に記載された本発明によれば、圧接端子と連鎖圧接端子とが共にハウジングに取り付けられて圧接コネクタが形成される。又は、圧接端子に替えて連鎖圧接端子がハウジングに取り付けられて圧接コネクタが形成される。無駄な回路が削減されるのは勿論のこと、ワイヤハーネス側の配列要件に合わせた圧接端子の配置に係るバリエーションの幅が広がる。
【００２７  】
請求項４に記載された本発明によれば、係合部を相手方の被係合部に係合させたり、相手方の係合部を被係合部に係合させたりすることにより、容易に複数個のコネクタサブアッシーが積層され、そして、コネクタブロックが形成される。
【００２８  】
請求項５に記載された本発明によれば、ジョイント吸収コネクタは次の工程を経て製造される。すなわち、コネクタサブアッシー形成工程では、内部中間壁を挟んで第一接続空間及び第二接続空間を有し、且つ第一接続空間及び第二接続空間に突出する雄タブを内部中間壁に配置したコネクタサブアッシーが形成される。コネクタブロック形成工程では、コネクタサブアッシーを複数個積層してコネクタブロックが形成される。圧接コネクタ形成工程では、複数の圧接コネクタが形成される。また、圧接コネクタの複数に跨って電線群が配索される。そして、アッシー状態形成工程では、電線群を配索した状態の圧接コネクタの個々がコネクタブロックの対応する第一接続空間に挿入され雄タブに接続される。このような工程を経て製造されたジョイント吸収コネクタに相手側コネクタが第二接続空間を介して接続されると、そのジョイント吸収コネクタによってジョイント吸収がなされる。
【００２９  】
請求項６に記載された本発明によれば、圧接コネクタ形成工程において長尺の絶縁体に圧接端子を固定し、さらにその絶縁体を切断すると、圧接コネクタが形成される。長尺の絶縁体を用いることにより圧接コネクタ形成工程の効率が向上し、ジョイント吸収コネクタの製造が容易になる。
【００３０  】
請求項７に記載された本発明によれば、圧接コネクタ形成工程において圧接端子と連鎖圧接端子とが共にハウジングに取り付けられて圧接コネクタが形成される。又は、圧接端子に替えて連鎖圧接端子がハウジングに取り付けられて圧接コネクタが形成される。無駄な回路が削減されるのは勿論のこと、ワイヤハーネス側の配列要件に合わせた圧接端子の配置に係るバリエーションの幅が広がる。
【００３１  】
【発明の実施の形態】
以下、図面を参照して本発明の実施の形態を説明する。
図１は本発明のジョイント吸収コネクタの一実施の形態を示す斜視図である。また、図２はコネクタサブアッシーの斜視図、図３はコネクタサブアッシーの縦断面図、図４はコネクタブロックの斜視図、図５は圧接コネクタを構成するハウジングの説明図、図６は圧接コネクタの説明図、図７は電線群の説明図である。
【００３２  】
図１において、引用符号１はジョイント吸収コネクタを示している。そのジョイント吸収コネクタ１は、コネクタブロック２と複数の圧接コネクタ３と電線群４とを備えて構成されており、ワイヤハーネス５の端末に設けられたコネクタ（相手側コネクタ）６が複数接続されてワイヤハーネス５のジョイント吸収をすることができるようになっている。
【００３３  】
図１ないし図４において、コネクタブロック２は、複数個（本形態では六つ。この数に限るものではない）のコネクタサブアッシー７を上下方向に積層して形成されている。そのコネクタサブアッシー７は、合成樹脂製のハウジング８と導電性を有する複数の雄タブ９とを備えて構成されており、ハウジング８は、前面及び後面がそれぞれ解放された箱形形状に形成されている。ハウジング８の内部であって中間には、内部中間壁１０が形成されており、その内部中間壁１０を挟んだ両側には、第一接続空間１１及び第二接続空間１２が形成されている。
【００３４  】
ハウジング８の外部であって側壁部分には、一対の係合部１３と、同じく一対の被係合部１４とが形成されている。一対の係合部１３は下方に、一対の被係合部１４は上方に配置形成されている。これらは、コネクタブロック２を形成する際の積層固定用として形成されている。一対の係合部１３には、下側のコネクタサブアッシー７の一対の被係合部１４が係合するようになっている。また、一対の被係合部１４には、上側のコネクタサブアッシー７の一対の係合部１３が係合するようになっている。
【００３５  】
雄タブ９は、第一接続空間１１及び第二接続空間１２の間を繋ぐ中継端子として機能しており、内部中間壁１０に対して圧接又はインサート成形により配置、固定されている。第一接続空間１１に突出する雄タブ９には、圧接コネクタ３の後述する圧接端子１６（連鎖圧接端子１７）が電気的に接続されるようになっている。また、第二接続空間１２に突出する雄タブ９には、ワイヤハーネス５のコネクタ６の図示しない既知の雌端子が電気的に接続されるようになっている。
【００３６  】
図１、及び図５ないし図７において、圧接コネクタ３は、合成樹脂製のハウジング１５と複数の既知形状の圧接端子１６及び／又は連鎖圧接端子１７とを備えて構成されている。ハウジング１５には、各キャビティ壁１８によってそれぞれ仕切られた複数の端子収容室１９が形成されている。その各端子収容室１９には、図示しない端子係止部が形成されており、複数の圧接端子１６及び／又は連鎖圧接端子１７が上記図示しない端子係止部に係止された状態で端子収容室１９にそれぞれ収容されている。連鎖圧接端子１７は、隣接する端子同士を電気的に接続する連結部２０を有しており、キャビティ壁１８を跨ぐような形状に形成されている。
【００３７  】
電線群４は、複数の圧接コネクタ３に跨って配索される電線２１の集合体として形成されている。各電線２１の端末は、対応する圧接端子１６又は連鎖圧接端子１７の電線圧接部に圧接されている。尚、電線群４に関し、ハウジング１５に圧接端子１６を固定した状態で電線２１を配索する場合と、圧接端子１６に電線２１を配索してその圧接端子１６をハウジング１５に固定する場合のいずれかに限定しないものとする。
【００３８  】
上記構成に基づいてジョイント吸収コネクタ１の製造方法の一例について説明する。ジョイント吸収コネクタ１は、本形態において、以下の各工程を経て製造するものとする。
【００３９  】
先ず、コネクタサブアッシー形成工程では、内部中間壁１０を挟んで第一接続空間１１及び第二接続空間１２を有し、且つ第一接続空間１１及び第二接続空間１２に突出する雄タブ９を内部中間壁１０に配置したコネクタサブアッシー７を複数形成する。
【００４０  】
次に、コネクタブロック形成工程では、コネクタサブアッシー７を複数個積層してコネクタブロック２を形成する。この工程では、コネクタサブアッシー７の一対の係合部１３に下側のコネクタサブアッシー７の一対の被係合部１４を係合させ、コネクタサブアッシー７の一対の被係合部１４に上側のコネクタサブアッシー７の一対の係合部１３を係合させることを行う（係合部１３と被係合部１４とを形成することによりコネクタサブアッシー７の積層が容易になって製造性が向上する）。
【００４１  】
続いて、圧接コネクタ形成工程では、ハウジング１５と複数の圧接端子１６及び／又は連鎖圧接端子１７とを有する複数の圧接コネクタ３を形成する。また、圧接コネクタ形成工程では、圧接端子１６や連鎖圧接端子１７に電線２１の端末を圧接し、電線群４を複数の圧接コネクタ３に跨って配索する。
【００４２  】
そして最後に、アッシー状態形成工程では、電線群４を配索した状態の圧接コネクタ３の個々をコネクタブロック２の対応する第一接続空間１１に挿入し、圧接コネクタ３を雄タブ９に接続する。
【００４３  】
以上の工程を経て製造したジョイント吸収コネクタ１に、第二接続空間１２を介して相手側となるコネクタ６を接続すると、そのジョイント吸収コネクタ１によってジョイント吸収がなされる。ジョイント吸収コネクタ１は、上記構成及び構造からワイヤハーネス５側の配列要件に合わせることが可能な機能を有する。従って、ワイヤハーネス５の生産性向上に寄与することができる。また、グレード、仕向けに関係なく容易にジョイント吸収をすることができる。さらに、圧接コネクタ３若しくは圧接端子１６と電線群４とを変更するだけで容易に配列変更をすることができる。さらにまた、無駄な回路を削減することができ、コストを削減することができる。
【００４４  】
図８は圧接コネクタの製造に係る他の例の説明図である。すなわち、上述の圧接コネクタ形成工程とは別に、次のような方法で圧接コネクタを製造することができるものとする。先ず、長尺の絶縁体２２を用意しその長尺の絶縁体２２に既知形状の圧接端子２３を固定する（図８（ａ）参照）。次に、電線２４を対応する圧接端子２３に圧接する（図８（ｂ）参照）。そして最後に、長尺の絶縁体２２を所定長さで切断する（図８（ｃ）参照）。引用符号２５は圧接コネクタを示している。また、引用符号２６は電線群を示している。切断した絶縁体２２はハウジングとして機能する。以上のように、長尺の絶縁体２２を用いることにより圧接コネクタ２５を容易に製造することができる。従って、その結果、ジョイント吸収コネクタの製造を容易にすることができる。
【００４５  】
尚、長尺の絶縁体２２に固定する圧接端子２３の一部を図９に示すように連鎖圧接端子２７に替えてもよいものとする。その連鎖圧接端子２７は、一箇所に集中して固定することも可能であるものとする（図１０参照）。連鎖圧接端子２７の連結部２８は、本形態において、図１１のように逆Ｕ字状に形成されている。すなわち、長尺の絶縁体２２にキャビティ壁が形成された場合、これを跨ぐことができるようになっている。
【００４６  】
その他、本発明は本発明の主旨を変えない範囲で種々変更実施可能なことは勿論である。
【００４７  】
【発明の効果】
以上説明したように、請求項１に記載された本発明によれば、ワイヤハーネス側の配列要件に合わせることが可能な機能を有する安価なジョイント吸収コネクタを提供することができる。従って、ワイヤハーネスの生産性向上に寄与することができるという効果を奏する。また、グレード、仕向けに関係なく容易にジョイント吸収及び配列変更をすることができるという効果を奏する。さらに、無駄な回路を削減することができ、コストを削減することができるという効果を奏する。
【００４８  】
請求項２に記載された本発明によれば、請求項１に記載の効果に加えて次のような効果を奏する。すなわち、長尺の絶縁体を用いることによりジョイント吸収コネクタの製造を容易にすることができるという効果を奏する。
【００４９  】
請求項３に記載された本発明によれば、請求項１又は請求項２に記載の効果に加えて次のような効果を奏する。すなわち、ワイヤハーネス側の配列要件に合わせた圧接端子の配置に係るバリエーションの幅を広げることができるという効果を奏する。また、無駄な回路を削減することができるという効果を奏する。
【００５０  】
請求項４に記載された本発明によれば、請求項１ないし請求項３いずれか記載の効果に加えて次のような効果を奏する。すなわち、係合部と被係合部とを形成することによりジョイント吸収コネクタの製造を容易にすることができるという効果を奏する。
【００５１  】
請求項５に記載された本発明によれば、ワイヤハーネス側の配列要件に合わせることが可能な機能を有する安価なジョイント吸収コネクタの製造方法を提供することができる。従って、ワイヤハーネスの生産性向上に寄与するジョイント吸収コネクタを製造することができるという効果を奏する。また、グレード、仕向けに関係なく容易にジョイント吸収及び配列変更が可能なジョイント吸収コネクタを製造することができるという効果を奏する。また、無駄な回路を削減するとともにコストを削減することが可能なジョイント吸収コネクタを製造することができるという効果を奏する。
【００５２  】
請求項６に記載された本発明によれば、請求項５に記載の効果に加えて次のような効果を奏する。すなわち、長尺の絶縁体を用いることにより圧接コネクタ形成工程の効率が向上し、ジョイント吸収コネクタの製造を容易にすることができるという効果を奏する。
【００５３  】
請求項７に記載された本発明によれば、請求項５又は請求項６に記載の効果に加えて次のような効果を奏する。すなわち、ワイヤハーネス側の配列要件に合わせた圧接端子の配置に係るバリエーションの幅を広げることができるという効果を奏する。また、無駄な回路を削減することができるという効果を奏する。
【図面の簡単な説明】
【図１】本発明によるジョイント吸収コネクタの一実施の形態を示す斜視図である。
【図２】コネクタサブアッシーの斜視図である。
【図３】コネクタサブアッシーの縦断面図である。
【図４】コネクタブロックの斜視図である。
【図５】圧接コネクタを構成するハウジングの説明図である。
【図６】圧接コネクタの説明図である。
【図７】電線群の説明図である。
【図８】圧接コネクタの製造に係る他の例の説明図であり、（ａ）は長尺の絶縁体に圧接端子を固定した状態の説明図、（ｂ）は圧接端子に電線を圧接した状態の説明図、（ｃ）は絶縁体を切断した状態の説明図である。
【図９】長尺の絶縁体に圧接端子及び連鎖圧接端子を固定した状態の他の説明図である。
【図１０】長尺の絶縁体に圧接端子及び連鎖圧接端子を固定した状態の更に他の説明図である。
【図１１】図９及び図１０のＡ視方向から見た連鎖圧接端子の連結部の説明図である。
【図１２】従来のジョイント吸収をするための例を示す電気接続箱の説明図である。
【図１３】従来のジョイント吸収をするための例を示す圧接ジョイントコネクタのコネクタハウジングの説明図である。
【図１４】従来のジョイント吸収をするための例を示す圧接ジョイントコネクタの断面図である。
【符号の説明】
１  ジョイント吸収コネクタ
２  コネクタブロック
３  圧接コネクタ
４  電線群
５  ワイヤハーネス
６  コネクタ（相手側コネクタ）
７  コネクタサブアッシー
８  ハウジング
９  雄タブ
１０  内部中間壁
１１  第一接続空間
１２  第二接続空間
１３  係合部
１４  被係合部
１５  ハウジング
１６  圧接端子
１７  連鎖圧接端子
１８  キャビティ壁
１９  端子収容室
２０  連結部
２１  電線
２２  長尺の絶縁体
２３  圧接端子
２４  電線
２５  圧接コネクタ
２６  電線群
２７  連鎖圧接端子
２８  連結部
【図１】
0003838427.tif 000002
【図２】
0003838427.tif 000003
【図３】
0003838427.tif 000004
【図４】
0003838427.tif 000005
【図５】
0003838427.tif 000006
【図６】
0003838427.tif 000007
【図７】
0003838427.tif 000008
【図８】
0003838427.tif 000009
【図９】
0003838427.tif 000010
【図１０】
0003838427.tif 000011
【図１１】
0003838427.tif 000012
【図１２】
0003838427.tif 000013
【図１３】
0003838427.tif 000014
【図１４】
0003838427.tif 000015